(57)【特許請求の範囲】
【請求項１】
既存の各種屋根を改修すると共に融雪機能を備える改修屋根のケラバ部において、既存屋根のケラバを取り除いた後に屋根下地の最外端の垂木と密接して取り付けられる長尺平板状の破風板と、該破風板の上面に野地板と同一平面を形成するように取り付けられる長尺平板状の捨板と、既存屋根の妻側端部に流れ方向と平行に配する長尺平板状の下部材と、該下部材の上面の外方端部に下部材と平行に配した断面が長方形で長尺体の外側部材と、下部材の上面の内方端部近傍に下部材と平行に配し、該外側部材と同形状の部材の所定箇所にリード線を通過させるための孔を設けた内側部材と、該外側部材と内側部材の上面に載置される前記下部材と略同一形状の上部材と、既存屋根上に流れ方向と平行に所定の間隔を有して取り付けられる桟木と、少なくとも幅方向の一端部を化粧面側に略Ｕ字状に屈曲して係合溝を形成すると共に、再び略コ字状に折り返して嵌合縁を形成し、他端部には裏面側に略コ字状に屈曲した段差化粧面と差込係合片とを形成した段葺き用の屋根材と、該段葺き用の屋根材の裏面側に重ね張りする長尺板状の裏打材と、裏打材と屋根材との間に介在させたシート状発熱体と、水平面である化粧面と該化粧面の内方端部を垂直下方に屈曲した内部化粧面と該化粧面の外方端部を下方側にＵ字状に折り返した挟持部を有する長尺体の化粧本体と、垂直面の垂下面と該垂下面の上端を外方へ水平に折り返した嵌挿部を有するケラバ覆いの２部材からなるケラバ材とから構成され、前記桟木上に、長手方向の端部を前記下部材の近傍に揃えて配した裏打材の上面にシート状発熱体を敷設してリード線を内側部材の孔を通過させ、シート状発熱体の上面に屋根材を配して新規屋根を形成し、また屋根材の外方端部は化粧面部の端部を折り返して内側部材に接触し、ケラバ材の化粧本体を屋根材と内側部材の接触面を覆うように上部材の上面に配し、またケラバ覆いの垂下面によって外側部材、下部材、捨板および破風板の一部を覆うように嵌挿部を該化粧本体の挟持部に係合して配し、また下部材、外側部材、内側部材、上部材に囲まれることによって形成された空洞にシート状発熱体に電流を導く導電線を配し、リード線と接続したことを特徴とする改修融雪屋根のケラバ部構造。
【発明の詳細な説明】
【０００１】
【産業上の利用分野】
本発明は、家屋の既存屋根を改修するに伴って融雪機能を付加する際の、妻側端部におけるケラバ部の構造に係るものである。さらに詳しくは、融雪のために機能するシート状発熱体へ電流を導く導電線をケラバ部内に格納することができる改修融雪屋根のケラバ部構造に関するものである。
【０００２】
【従来の技術】
従来、降雪地方における雪降ろし作業は、肉体的に大変かつ危険を伴う作業であった。そこで、屋根に融雪機能を施す方法の１つに、特開平６−２３９９号のように屋根材の下にシート状の発熱体を設置する方法があった。
【０００３】
【発明が解決しようとする課題】
しかし、屋根の改修と同時にシート状の発熱体を施して融雪機能を備える方法がなく、従って屋根の改修に伴ってシート状の発熱体による融雪機能を施す際にシート状発熱体へ電流を導く導電線を格納するのに適した方法がなかった。
【０００４】
【課題を解決するための手段】
本発明はこの問題を解決するためのもので、新規屋根のケラバ部に導電線を格納するための空洞を設け、また長尺体の２部材からなるケラバ材によって空洞を構成する部材と屋根材の妻側端部を被覆し、シート状発熱体に電流を導くための導電線を空洞内に格納するものである。
【０００５】
【作用】
屋根改修を行うに伴ってシート状の発熱体による融雪機能を施す際に、導電線を合理的に配線することができるため施工が容易で、かつ美しい外観を有するケラバ部を形成するものである。
【０００６】
【実施例】
以下に図面を用いて本発明に係る改修融雪屋根のケラバ部構造について詳細に説明する。図１および図２は本発明の代表的な一例を示す説明図であり、Ａは垂木Ｂと野地板Ｃ、およびアスファルトルーフィングＤからなる屋根下地、Ｅは既存屋根材、Ｆは破風板、Ｇは捨板、Ｈは下部材、Ｉは外側部材、Ｊは内側部材、Ｋは上部材、Ｌは空洞、Ｍは導電線、Ｎは化粧本体Ｏ、ケラバ覆いＰからなるケラバ材、Ｑは桟木、Ｒは裏打材、Ｓはシート状発熱体、Ｔは新規屋根材である。
【０００７】
屋根下地Ａは垂木Ｂ、野地板Ｃ、アスファルトルーフィングＤとから構成されるもので、野地板ＣはアスファルトルーフィングＤと共に妻面近傍の垂木Ｂの外側面に合わせて、切断するものである。アスファルトルーフィングＤは、既存屋根に使用されていたものを撤去せずに、そのまま使用するものである。野地板Ｃの上に敷設された既存屋根材Ｅは撤去しても良いが、撤去することなくその上に新規屋根を形成することにより、防水性、断熱性、防音性に優れた屋根を低コスト、短期間で形成することができる。
【０００８】
既存屋根材Ｅは屋根下地Ａ上に敷設された一般的な屋根材であり、図１、図２においては金属の横葺屋根を示してあるが、その他にも平葺き屋根、段葺き屋根、瓦棒葺き屋根、瓦屋根、新生瓦屋根、等でもよい。
【０００９】
破風板Ｆは長尺平板で、最も妻側寄りの垂木Ｂの外面に、外方に広い平面が臨み、上面は垂木Ｂの上面と略同一平面となるように取り付けるものである。捨板Ｇは長尺平板で、破風板Ｆの上面に取り付けられ、野地板Ｃと同等の高さを有し、その上面は野地板Ｃと連続した平面を形成するものである。また、捨板Ｇは破風板Ｆの外側面より外方に突出しているものである。
【００１０】
下部材Ｈは屋根下地Ａの端部にて、野地板Ｃと捨板Ｇに跨って、外方端部を捨板Ｇの端部に揃えて取り付けられるもので、野地板Ｃとの間にアスファルトルーフィングＤ、既存屋根材Ｅの端部を介して取り付けるものである。
【００１１】
外側部材Ｉは図３に示すような断面長方形の長尺体で、外方面を下部材Ｈの外方端面と揃えて、下部材Ｈの上面に取り付けるものである。内側部材Ｊは形状は外側部材Ｉと同一のものを使用し、下部材Ｈの上面の内方端部近傍にてやや外側部材Ｉ寄りに取り付けるものであり、また後記するシート状発熱体Ｓから延長されたリード線１３、１４を通過させるための孔１を所定箇所に必要個数、設けておくものである。
【００１２】
上部材Ｋは下部材Ｈと同一形状の部材を使用し、外方端部を外側部材Ｉの外側面と同一平面となるように取り付け、下部材Ｈ、外側部材Ｉ、内側部材Ｊと共に空洞Ｌを形成するものである。空洞Ｌは後記するシート状発熱体Ｓに電流を供給するための導電線Ｍを配設するための空間であり、図示しないが導電線Ｍは棟部にて束となって家屋内に導かれ、任意の配線を施されるものである。空洞Ｌによって棟に導線を導き、一箇所にて家屋内に導電線Ｍを導くことにより、導電線Ｍを家屋内に誘導する孔の穿設の作業が一回で済み、施工が容易な上、既存屋根に加える加工が少なく済むので、強度、断熱性、防水性等の劣化を防止することができる。
【００１３】
ケラバ材Ｎは、図４（ａ）、（ｂ）に示されるような化粧本体Ｏとケラバ覆いＰの２部材から構成されるものである。
【００１４】
化粧本体Ｏは、上部材Ｋよりも広い幅を有する化粧面２と、化粧面３の内方端を下方へ垂直に屈曲して中途から外方へ斜めに屈曲し、さらに下方端に舌片３ａを有する内部化粧面３と、化粧面２の外方端部を、裏面側へＵ字上に折り返した挟持部４とから構成される長尺体である。
【００１５】
ケラバ覆いＰは、垂直面からなる垂下面５と、垂下面５の下端を内方の斜め上方に折り返した屈曲部６と、垂下面５の上端を外方へ水平に折り返して延長した嵌挿部７とから構成される長尺体である。
【００１６】
化粧本体Ｏは上部材Ｋの上面に敷設するもので、取付けの際にケラバ覆いＰの嵌挿部７を挟持部４に挿入し、ケラバ材Ｎとして一体化して取り付け、捨板Ｇ、下部材Ｈ、外側部材Ｉ、上部材Ｋを外観から覆い隠し、導電線Ｍを雨水等から防水すると共に、外観を美しく仕上げるものである。なお、化粧本体Ｏ、ケラバ覆いＰ共に、美しい外観に仕上げることから、後記する新規屋根材Ｔと同質の材料から形成することが好ましい。
【００１７】
桟木Ｑは既存屋根材Ｅの上に、下部材Ｈと同等の高さを有する長尺体を、流れ方向と平行に所定の間隔を有して配されるものである。桟木Ｑは、裏打材Ｒを載置、固定する下地として機能すると共に、桟木Ｑ同士の間に間隙を形成し、空気の循環路として機能させるものである。
【００１８】
裏打材Ｒは図５に示すように長尺板状であり、桟木Ｑ上に多数枚敷設するものである。さらに、裏打材Ｒは新規屋根材Ｔをバックアップし、屋根上の作業、積雪のように荷重が加えられても新規屋根材Ｔの変形を防止すると共に、後記するシート状発熱体Ｓからの熱のうち、殆どすべてが融雪に寄与するように断熱し、家屋内（小屋裏等）に熱が逃げるのを防止するものである。また、夏季においては太陽によって屋根が加熱されても家屋内に熱が伝わるのを遮断し家屋内の温度の上昇を防止することにも役立つと共に、防音にも役立つものである。
【００１９】
また、裏打材Ｒの素材としてはシージングボード、シージングインシュレーションボート、プラスチックフォーム（ウレタンフォーム、ヌレートフォーム、フェノールフォーム等）、パーチクルボード、木質複合板、木毛セメント板、コンポージットパネル（コンパネ）、石膏ボード、ＡＬＣ板、等であり、断熱性を有するものである。
【００２０】
さらに説明すると、裏打材Ｒは水平方向では端面を当接すると共に、図６に示すように軒から棟方向では下段の裏打材Ｒ１  に長尺側面を重ね合わせ、階段状とすると共に屋根下地Ａとの間に三角形状の空隙βを形成するように固定するものである。この空隙βは新鮮な空気等の流通路として機能させることができ裏打材Ｒが有する断熱材、防音材、調湿材等の機能をさらに助長させると共に、結露を防止して屋根下地Ａ、後記する新規屋根材Ｔ等の腐食防止に寄与するものである。
【００２１】
シート状発熱体Ｓは図７（ａ）、（ｂ）に示すように長方形状のシート状であり、図１、図２に示すように裏打材Ｒと新規屋根材Ｔの間に介在し、外装部に融雪に必要な熱を供給するためのものである。また、図５に示すようにシート状発熱体Ｓは裏打材Ｒの表面に接着剤（図示せず）、接着テープ８、ステープラ９等の諸手段により、固定、取り付けるものである。
【００２２】
さらに、このシート状発熱体Ｓは図７（ａ）および、７（ａ）のイ−イ線断面図に該当する図７（ｂ）に示すように、帯状で発熱部分となるシート１０と、シート１０の長手方向両端に形成した導電線１１、１２と、幅方向一端に形成し、導電線１１、１２と連結されたリード線１３、１４と、これらを被覆する上下の絶縁体シート１５、１６とから形成したものである。
【００２３】
シート１０は、適度な電気抵抗を有し、通電すると発熱現象を起こす組成であれば特に指定されるものではないが、その組成としては、例えば炭素繊維を合成樹脂等でバインダしたものや混入したもの、パルプ繊維とカーボンファイバー、カーボン粒子、金属粉末等を粘材により合成したものを使用するもので、カーボンファイバー同士は互いに重なり合うように混入されるので、シート状発熱体Ｓの一部分が万一破壊、切断しても、他の部分の発熱には全く影響がでないものである。シート１０はリード線１３、１４を介して導電線１１、１２に電気が導かれると発熱するものである。
【００２４】
絶縁シート１５、１６は塩ビフィルム、フッ素樹脂フィルム、アクリルフィルム等からなり、ラミネート加工を行うことによって、表面保護と防水、電気的絶縁等の効果を発揮するものである。また、リード線１３、１４は内側部材Ｊの孔１を通過して導電線Ｍに接続され、導電性である組成物の抵抗によりシート状発熱体Ｓ全体が発熱し、熱が外装部の新規屋根材Ｔに伝達され、融雪が行われることになる。
【００２５】
また、図８（ａ）、（ｂ）は外装部を構成する段葺き状の新規屋根材Ｔを示す斜視図であり、新規屋根材Ｔは金属板（カラー鋼板、銅板、アルミニウム板、チタン板、ステンレス板、サンドイッチ鋼板、クラッド鋼板等）等をロール成形、プレス成形、押出成形等によって形成したものである。
【００２６】
さらに説明すると、新規屋根材Ｔは長尺板状であり、その幅方向一端部を化粧面１７の下側、すなわち、裏面１８側に略コ字状に屈曲して段差化粧面１９と差込縁２０とを形成した雄型連結部２２としたもので、化粧面１７と段差化粧面１９と差込縁２０とから略コ字状の引っかけ溝２１形成したものである。
【００２７】
また、化粧面１７の他端には化粧面１７の上側に屈曲して断面略Ｕ字状に形成した前記差込縁２０と嵌合する嵌合溝２３と、嵌合溝２３の先端をコ字状に折り返した嵌合縁２４と、嵌合縁２４の先端を下方に屈曲すると共に化粧面１７と略平行で外方にＬ字状に屈曲して延長した固定片２５を形成した雌型連結部２６を形成したものである。
【００２８】
さらに、化粧面１７の長手方向の両側端縁をそれぞれ裏面１８側にハゼ状に屈曲した連結片２７を形成したものである。連結片２７は、図示しない継手材を介して相隣る新規屋根材Ｔ同士を連結する際の係止部となるものである。なお、図８（ａ）では長手方向の強度の強化と、外部からの雨水等が毛細管現象により内部に浸入することを防止する意味で嵌合溝２３と差込縁２０に凹条２８、凹条２９を形成している。
【００２９】
図９は、ケラバ部に隣接する箇所に使用する新規屋根材Ｔ３  の成形例を示すものである。すなわちＴ３  は、化粧面１７のケラバ側の端部を任意の幅で垂直上方に折り返し、雄型連結部２２の折り返し線３１の延長線より外方に位置する部分は切断して削除し、また雌型連結部２６の折り返し線３１の延長線より外方に位置する部分は、折り返し線３１の延長線上に切り込みを入れて雌型連結部２６の形状を平面状に修正し、余剰部分を雨返し片３０と重ねるように折り返すものである。
【００３０】
雨返し片３０は上部材Ｋの内方端部より内方に位置し、かつ内側部材Ｊと接触させるものであり、ケラバ部への雨水の浸入を防止すると共に、内側部材Ｊが外観に露出しないようにして、外観を向上させるものである。
【００３１】
ここで、本発明に係る改修融雪屋根のケラバ部構造についての施工例を簡単に説明する。まず、既存のケラバを撤去し、野地板Ｃの端部を最外部の垂木Ｂの外面に合わせて切断する。
【００３２】
次に、図１０に示すように、桟木Ｑを所定間隔で流れ方向と平行に取り付ける。また、最外部の垂木Ｂの外側面に、上面が同一平面になるように揃えて破風板Ｆを固定する。そして破風板Ｆの上面に、捨板Ｇを固定するが、捨板Ｇと野地板Ｃはその上面において、略同一平面を形成するものである。
【００３３】
次に、図１１に示すように、下部材Ｈを野地板Ｃと捨板Ｇに跨って、その外面を捨板Ｇの外面に合わせて取り付け、さらに外側部材Ｉを、その外面を下部材Ｈの外面に合わせて取り付ける。さらに、下部材Ｈの内方端部の近傍に、予め孔１を穿設しておいた内側部材Ｊを、外側部材Ｉと平行に、かつ所定の間隔を有して固定する。
【００３４】
そして、図１２および図６に示すように、桟木Ｑ上に下段の裏打材Ｒ１  を敷設する。次に、下段に位置する裏打材Ｒ１  の上面にシート状発熱体Ｓを任意箇所に敷設し、リード線１３、１４を内側部材Ｊの孔１を通過させて導電線Ｍに接続する。
【００３５】
次に、シート状発熱体Ｓ上から下段の新規屋根材Ｔ１  を載置し、固定片２５にて固定具αを打設し新規屋根材Ｔ１  を固定する。そして新規屋根材Ｔ１  の固定片２５の上に上段の裏打材Ｒ２  の下端部を載置して、さらにシート状発熱体Ｓを載置、リード線１３、１４の導電線Ｍへの接続を行い、下段の新規屋根材Ｔ１  の嵌合溝２３内に上段の新規屋根材Ｔ２  の差込縁２０を嵌合、係止し、上段の裏打材Ｒ２  上に上段の新規屋根材Ｔ２  を載置する。
【００３６】
このように、軒方向から棟方向へ一段毎葺成することにより、図６に示すように既存屋根材Ｅと裏打材Ｒとの間に縦断面略三角形状の空隙βが形成される。この空隙βは新鮮な空気等の流通路として機能させることができ裏打材Ｒが有する断熱材、防音材、調湿材等の機能をさらに助長させると共に、結露を防止して屋根下地Ａ、新規屋根材Ｔ等の腐食防止に寄与するものである。また、図６において△Ｔは裏打材２同士の重なりしろであり、浸入した雨水の逆流を防止し、十分な防水効果を発揮させるさめには△Ｔは長ければ長い程良く、好ましくは△Ｔ＝５０〜６０ｍｍ程度である。
【００３７】
なお、シート状発熱体Ｓのリード線１３、１４は新規屋根材Ｔで隠蔽される前に内側部材Ｊの孔１を通して導電線Ｍに接続し、導電線Ｍは外側部材Ｉと内側部材Ｊの間に格納するものである。導電線Ｍは何本でも良いが、シート状発熱体Ｓの範囲、部位によってリード線１３、１４を接続する導電線Ｍを区別し、家屋内に設けた制御盤にて通電する導電線Ｍを指定することにより、融雪を行う範囲を任意に調節することができる。また、新規屋根材Ｔの妻側端部は図９に示すように成形したものを使用し、取り付ける際は内側部材Ｊと密着させるものである。
【００３８】
次に、外側部材Ｉと内側部材Ｊの上面に上部材Ｋを載置して、導電線Ｍを格納した空洞Ｌを形成し、化粧本体Ｏの上面に、挟持部４にてケラバ覆いＰの嵌挿部７と係合したケラバ材Ｎを取り付け、図１、図２に示されるように仕上げるものである。なお、図示しないが、破風板Ｆ、捨板Ｇ、下部材Ｈ、外側部材Ｉ、内側部材Ｊ、上部材Ｋ、および化粧本体Ｏ、ケラバ覆いＰの固定には、釘等の固定具αを使用するものである。
【００３９】
以上説明したのは、本発明の一実施例にすぎず、図１３に示すように既存屋根材Ｅの表面に、桟木Ｑと同等の高さに、合成樹脂発泡体よりなるボード、あるいは現場発泡型の合成樹脂発泡体からなる断熱材３２を施して、断熱性を更に向上させることができる。
【００４０】
【発明の効果】
以上説明したように、本発明に係る改修融雪屋根のケラバ部構造によれば、▲１▼ケラバ部内に導電線を隠蔽したので、外観が良く、施工性に優れる。▲２▼導電線は棟部の一箇所で家屋内に導かれるので、施工が容易で、屋根の強度、断熱性、防音性等を劣化させない。▲３▼断熱層と外装部の間にシート状発熱体を介在したので、面発熱シートからもたらされる熱が断熱層の形成により家内部方向へ放散することがなく、殆どを融雪のための熱源として使用することができ効率が良い。
▲４▼シート状発熱体にカーボンファイバーを混入して形成した場合、シート状発熱体の一部分が破壊、切断されても、他の部分の発熱には全く影響がでない。▲５▼ケラバ部全体が大きく形成されるので、重量感のある外観を有する新規屋根となる。等の特徴、効果がある。
【図面の簡単な説明】
【図１】本発明に係る改修融雪屋根のケラバ部構造の代表的一例を示す説明図である。
【図２】本発明に係る改修融雪屋根のケラバ部構造の代表的一例を示す断面図である。
【図３】内側部材の説明図である。
【図４】ケラバ材を構成する化粧本体とケラバ覆いの説明図である。
【図５】裏打材とシート状発熱体の例を示す斜視図である。
【図６】新規屋根材の縦方向の接続部を示す拡大図である。
【図７】シート状発熱体の説明図である。
【図８】新規屋根材の説明図である。
【図９】ケラバ部近傍で使用する新規屋根材の説明図である。
【図１０】本発明の改修融雪屋根のケラバ部構造の施工例を示す説明図である。
【図１１】本発明の改修融雪屋根のケラバ部構造の施工例を示す説明図である。
【図１２】本発明の改修融雪屋根のケラバ部構造の施工例を示す説明図である。
【図１３】本発明の改修融雪屋根のケラバ部構造のその他の例を示す説明図である。
【符号の説明】
α  固定具
β  空隙
Ａ  屋根下地
Ｂ  垂木
Ｃ  野地板
Ｄ  アスファルトルーフィング
Ｅ  既存屋根材
Ｆ  破風板
Ｇ  捨板
Ｈ  下部材
Ｉ  外側部材
Ｊ  内側部材
Ｋ  上部材
Ｌ  空洞
Ｍ  導電線
Ｎ  ケラバ材
Ｏ  化粧本体
Ｐ  ケラバ覆い
Ｑ  桟木
Ｒ  裏打材
Ｓ  シート状発熱体
Ｔ  新規屋根材
１  孔
２  化粧面
３  内部化粧面
３ａ  舌片
４  挟持部
５  垂下面
６  屈曲部
７  嵌挿部
８  接着テープ
９  ステープラ
１０  合成樹脂シート
１１  導電線
１２  導電線
１３  リード線
１４  リード線
１５  絶縁シート
１６  絶縁シート
１７  化粧面
１８  裏面
１９  段差化粧面
２０  差込縁
２１  引っかけ溝
２２  雄型連結部
２３  嵌合溝
２４  嵌合縁
２５  固定片
２６  雌型連結部
２７  連結片
２８  凹条
２９  凹条
３０  雨返し片
３１  折り返し線
３２  断熱材
【図１】
0003567546.tif 000002
【図２】
0003567546.tif 000003
【図３】
0003567546.tif 000004
【図４】
0003567546.tif 000005
【図５】
0003567546.tif 000006
【図６】
0003567546.tif 000007
【図７】
0003567546.tif 000008
【図８】
0003567546.tif 000009
【図９】
0003567546.tif 000010
【図１０】
0003567546.tif 000011
【図１１】
0003567546.tif 000012
【図１２】
0003567546.tif 000013
【図１３】
0003567546.tif 000014